(57)【要約】    【課題】  撮像装置により撮影された、サムネイル画像を含む所定色空間でかつ所定符号化の画像ファイルを送信する際に、そのサムネイル画像の送信の有無を任意に選択することができるファクシミリ装置を提供することにある。    【解決手段】  デジタルスチルカメラにより撮影された、サムネイル画像を含む色空間ｓＹＣＣでかつＪＰＥＧ符号化の画像ファイルをコンパクトフラッシュ（登録商標）カード３０から取り込み、送信する際に、この取り込まれた画像ファイルに含まれるサムネイル画像を送信するか否かの選択に応じて、該サムネイル画像の送信が制御される。【選択図】      図１
2005198176.tif 000002
【特許請求の範囲】
【請求項１】
カラー情報を送信可能なファクシミリ装置であって、
撮像装置により撮影された、サムネイル画像を含む所定色空間でかつ所定符号化の画像ファイルを送信する画像ファイルとして取り込む取込手段と、
前記取り込まれた画像ファイルを送信するための特定送信モードを実行するように制御する制御手段と、
前記取り込まれた画像ファイルに含まれるサムネイル画像を送信するか否かを選択する選択手段とを有し、
前記制御手段は、前記特定送信モードの実行時に、前記取り込まれた画像ファイルに含まれるサムネイル画像を送信するか否かの選択に応じて、該サムネイル画像の送信を制御することを特徴とするファクシミリ装置。
【請求項２】
前記制御手段は、前記特定送信モードの実行時に、前記取り込まれた画像ファイルのサムネイル画像を送信することが選択されている場合、前記取り込まれた画像ファイルおよびそれに含まれるサムネイル画像を送信し、前記取り込まれた画像ファイルのサムネイル画像を送信しないことが選択されている場合、該画像ファイルに含まれる特定情報を削除することによってそのサムネイル画像を送信しないように制御することを特徴とする請求項１記載のファクシミリ装置。
【請求項３】
前記選択手段は、前記取り込まれた画像ファイルの全てに対して、そのサムネイル画像を送信するか否かの選択を適用することを特徴とする請求項１または２記載のファクシミリ装置。
【請求項４】
前記選択手段は、前記取り込まれた画像ファイル毎に、そのサムネイル画像を送信するか否かを選択することを特徴とする請求項１または２記載のファクシミリ装置。
【請求項５】
カラー情報を送信可能なファクシミリ装置であって、
撮像装置により撮影された、サムネイル画像を含む所定色空間でかつ所定符号化の画像ファイルを送信する画像ファイルとして取り込む取込手段と、
前記取り込まれた画像ファイルを送信するための特定送信モードを実行するように制御する制御手段とを有し、
前記制御手段は、前記特定送信モードの実行時に、前記送信する画像ファイルとして１つの画像ファイルが取り込まれたとき、該取り込まれた１つの画像ファイルに含まれる特定情報を削除することによってそのサムネイル画像を送信しないようにし、前記送信する画像ファイルとして複数の画像ファイルが取り込まれたとき、該取り込まれた複数の画像ファイルおよびそれぞれのサムネイル画像を送信するように制御することを特徴とするファクシミリ装置。
【請求項６】
カラー情報を送信するためのファクシミリ通信方法であって、
撮像装置により撮影された、サムネイル画像を含む所定色空間でかつ所定符号化の画像ファイルを送信する画像ファイルとして取り込む取込工程と、
前記取り込まれた画像ファイルに含まれるサムネイル画像を送信するか否かを選択する選択工程と、
前記取り込まれた画像ファイルを送信するための特定送信モードを実行するように制御する制御工程とを有し、
前記制御工程では、前記特定送信モードの実行時に、前記取り込まれた画像ファイルに含まれるサムネイル画像を送信するか否かの選択に応じて、該サムネイル画像の送信を制御することを特徴とするファクシミリ通信方法。
【請求項７】
前記制御工程では、前記特定送信モードの実行時に、前記取り込まれた画像ファイルのサムネイル画像を送信することが選択されている場合、前記取り込まれた画像ファイルおよびそれに含まれるサムネイル画像を送信し、前記取り込まれた画像ファイルのサムネイル画像を送信しないことが選択されている場合、該画像ファイルに含まれる特定譲歩を削除することによってそのサムネイル画像を送信しないように制御することを特徴とする請求項６記載のファクシミリ通信方法。
【請求項８】
前記選択工程では、前記取り込まれた画像ファイルの全てに対して、そのサムネイル画像を送信するか否かの選択を適用することを特徴とする請求項６または７記載のファクシミリ通信方法。
【請求項９】
前記選択工程では、前記取り込まれた画像ファイル毎に、そのサムネイル画像を送信するか否かを選択することを特徴とする請求項６または７記載のファクシミリ通信方法。
【請求項１０】
カラー情報を送信するためのファクシミリ通信方法であって、
撮像装置により撮影された、サムネイル画像を含む所定色空間でかつ所定符号化の画像ファイルを送信する画像ファイルとして取り込む取込工程と、
前記取り込まれた画像ファイルを送信するための特定送信モードを実行するように制御する制御工程とを有し、
前記制御工程では、前記特定送信モードの実行時に、前記送信する画像ファイルとして１つの画像ファイルが取り込まれたとき、該取り込まれた１つの画像ファイルに含まれる特定情報を削除することによってそのサムネイル画像送信しないようにし、前記送信する画像ファイルとして複数の画像ファイルが取り込まれたとき、該取り込まれた複数の画像ファイルおよびそれぞれのサムネイル画像を送信するように制御することを特徴とするファクシミリ通信方法。
【請求項１１】
カラー情報を送信することが可能なファクシミリ通信装置を制御するためのプログラムであって、
撮像装置により撮影された、サムネイル画像を含む所定色空間でかつ所定符号化の画像ファイルを送信する画像ファイルとして取り込む取込モジュールと、
前記取り込まれた画像ファイルに含まれるサムネイル画像を送信するか否かを選択する選択モジュールと、
前記取り込まれた画像ファイルを送信するための特定送信モードを実行するように制御する制御モジュールとを有し、
前記制御モジュールは、前記特定送信モードの実行時に、前記取り込まれた画像ファイルに含まれるサムネイル画像を送信するか否かの選択に応じて、該サムネイル画像の送信を制御することを特徴とするプログラム。
【請求項１２】
カラー情報を送信することが可能なファクシミリ装置を制御するためのプログラムであって、
撮像装置により撮影された、サムネイル画像を含む所定色空間でかつ所定符号化の画像ファイルを送信する画像ファイルとして取り込む取込モジュールと、
前記取り込まれた画像ファイルを送信するための特定送信モードを実行するように制御する制御モジュールとを有し、
前記制御モジュールは、前記特定送信モードの実行時に、前記送信する画像ファイルとして１つの画像ファイルが取り込まれたとき、該取り込まれた１つの画像ファイルに含まれる特定情報を削除することによってそのサムネイル画像送信しないようにし、前記送信する画像ファイルとして複数の画像ファイルが取り込まれたとき、該取り込まれた複数の画像ファイルおよびそれぞれのサムネイル画像を送信するように制御することを特徴とするプログラム。
【発明の詳細な説明】
【技術分野】
【０００１】
本発明は、カラー情報を送信可能なファクシミリ装置、ファクシミリ通信方法およびプログラムに関する。
【背景技術】
【０００２】
従来、カラー情報を通信可能なファクシミリ装置は、ＩＴＵ−Ｔ勧告Ｔ．３０、Ｔ．４、Ｔ．８１、Ｔ．４２により規定されている色空間Ｌａｂでのカラーファクシミリ通信を行うものである（例えば特許文献１を参照）。
【０００３】
近年、デジタルカメラが普及し、デジタルカメラで撮影した情報をそのままファクシミリプロトコルを使用して送信したいというニーズが高まりつつある。ここで、デジタルカメラで使用されている色空間は、Ｌａｂでなく、ｓＹＣＣである。そこで、上記ニーズに対応するために、色空間ｓＹＣＣでのＪＰＥＧ符号化情報をそのまま送信するプロトコルがＩＴＵ−Ｔにより規定され、標準化された。そして、このような色空間ｓＹＣＣでのＪＰＥＧ符号化情報を送受信可能なカラーファクシミリ通信方式が提案されている（例えば特許文献２を参照）。
【０００４】
上述のカラーファクシミリ通信方式を用いたシステム構成について図１０を参照しながら説明する。図１０は従来のカラーファクシミリ通信方式を用いたシステム構成を示すブロック図である。
【０００５】
カラーファクシミリ通信方式を用いたシステムは、図１０に示すように、送信機側のファクシミリ装置１００と、ファクシミリ装置１００と電話回線を介して接続される受信機側のファクシミリ装置２００とから構成される。ファクシミリ装置１００は、原稿をカラー読取可能なスキャナ１０２と、カードインターフェース（カードＩ／Ｆ）１０４とを有する。カードＩ／Ｆ１０４には、デジタルスチルカメラ１２０などの記録媒体として用いられるコンパクトフラッシュ（登録商標）カード（ＣＦカード）１０６が装着され、カードＩ／Ｆ１０４は、ＣＦカード１０６に対して情報の読み出しまたは書き込みを可能にする。
【０００６】
ファクシミリ装置２００は、プリンタ２０８と、カードインターフェース（カードＩ／Ｆ）２０４とを有する。カードＩ／Ｆ２０４には、デジタルスチルカメラ２２０などの記録媒体として用いられるコンパクトフラッシュ（登録商標）カード（ＣＦカード）２０６が装着され、カードＩ／Ｆ２０４は、ＣＦ２０６カードに対して情報の読み出しまたは書き込みを可能にする。
【０００７】
ここで、送信機側のファクシミリ装置１００は、カラー原稿情報の送信またはカードＩ／Ｆ１０４に装着されたＣＦカード１０６に格納された情報（デジタルスチルカメラ１２０により撮影された情報）の送信が可能である。受信機側のファクシミリ装置２００は、受信したカラー情報のプリントまたはカードＩ／Ｆ２０４に装着されているＣＦカード２０６への書き込みが可能である。すなわち、送信機側においては、デジタルスチルカメラ１２０で撮影された情報が格納されているＣＦカード１０６をカードＩ／Ｆ１０４に装着すれば、デジタルスチルカメラ１２０で撮影された画像情報をファクシミリ通信により相手先に送ることができる。また、受信機側においては、受信したカラー情報すなわちデジタルスチルカメラで撮影された情報をプリント出力することができ、また受信したカラー情報をカードＩ／Ｆ２０４に装着されているＣＦカード２０６へ書き込み、保存することができる。
【特許文献１】特開平０６−１２５４７０号公報
【特許文献２】特開２００３−３７７４１号公報
【発明の開示】
【発明が解決しようとする課題】
【０００８】
しかしながら、送信機側（ファクシミリ装置１００）においてカードＩ／Ｆ１０４に装着されたＣＦカード１０６に格納された情報（デジタルスチルカメラ１２０で撮影された画像情報）の送信が選択されている場合、この情報の送信とともに、ＤＣＦ（Design rule for Camera File system）によりサムネイル画像を送信することが規定されている。上記情報にはＡｐｐ１マーカがあり、このＡｐｐ１の中にサムネイル画像が含まれている。受信機側においては、上記情報とともに、そのサムネイル画像が受信されることになる。ここで、受信した情報をプリンタ２０８によりカラープリントする場合、受信したサムネイル画像を有効に使用することができず、また、サムネイル画像の送信に伴い通信時間が長くなる。
【０００９】
本発明の目的は、撮像装置により撮影された、サムネイル画像を含む所定色空間でかつ所定符号化の画像ファイルを送信する際に、そのサムネイル画像の送信の有無を任意に選択することができるファクシミリ装置、ファクシミリ通信方法およびプログラムを提供することにある。
【課題を解決するための手段】
【００１０】
本発明は、上記目的を達成するため、カラー情報を送信可能なファクシミリ装置であって、撮像装置により撮影された、サムネイル画像を含む所定色空間でかつ所定符号化の画像ファイルを送信する画像ファイルとして取り込む取込手段と、前記取り込まれた画像ファイルを送信するための特定送信モードを実行するように制御する制御手段と、前記取り込まれた画像ファイルに含まれるサムネイル画像を送信するか否かを選択する選択手段とを有し、前記制御手段は、前記特定送信モードの実行時に、前記取り込まれた画像ファイルに含まれるサムネイル画像を送信するか否かの選択に応じて、該サムネイル画像の送信を制御することを特徴とする。
【００１１】
本発明は、上記目的を達成するため、カラー情報を送信可能なファクシミリ装置であって、撮像装置により撮影された、サムネイル画像を含む所定色空間でかつ所定符号化の画像ファイルを送信する画像ファイルとして取り込む取込手段と、前記取り込まれた画像ファイルを送信するための特定送信モードを実行するように制御する制御手段とを有し、前記制御手段は、前記特定送信モードの実行時に、前記送信する画像ファイルとして１つの画像ファイルが取り込まれたとき、該取り込まれた１つの画像ファイルに含まれる特定情報を削除することによってそのサムネイル画像を送信しないようにし、前記送信する画像ファイルとして複数の画像ファイルが取り込まれたとき、該取り込まれた複数の画像ファイルおよびそれぞれのサムネイル画像を送信するように制御することを特徴とする。
【００１２】
本発明は、上記目的を達成するため、カラー情報を送信するためのファクシミリ通信方法であって、撮像装置により撮影された、サムネイル画像を含む所定色空間でかつ所定符号化の画像ファイルを送信する画像ファイルとして取り込む取込工程と、前記取り込まれた画像ファイルに含まれるサムネイル画像を送信するか否かを選択する選択工程と、前記取り込まれた画像ファイルを送信するための特定送信モードを実行するように制御する制御工程とを有し、前記制御工程では、前記特定送信モードの実行時に、前記取り込まれた画像ファイルに含まれるサムネイル画像を送信するか否かの選択に応じて、該サムネイル画像の送信を制御することを特徴とする。
【００１３】
本発明は、上記目的を達成するため、カラー情報を送信するためのファクシミリ通信方法であって、撮像装置により撮影された、サムネイル画像を含む所定色空間でかつ所定符号化の画像ファイルを送信する画像ファイルとして取り込む取込工程と、前記取り込まれた画像ファイルを送信するための特定送信モードを実行するように制御する制御工程とを有し、前記制御工程では、前記特定送信モードの実行時に、前記送信する画像ファイルとして１つの画像ファイルが取り込まれたとき、該取り込まれた１つの画像ファイルに含まれる特定情報を削除することによってそのサムネイル画像送信しないようにし、前記送信する画像ファイルとして複数の画像ファイルが取り込まれたとき、該取り込まれた複数の画像ファイルおよびそれぞれのサムネイル画像を送信するように制御することを特徴とする。
【００１４】
本発明は、上記目的を達成するため、カラー情報を送信することが可能なファクシミリ通信装置を制御するためのプログラムであって、撮像装置により撮影された、サムネイル画像を含む所定色空間でかつ所定符号化の画像ファイルを送信する画像ファイルとして取り込む取込モジュールと、前記取り込まれた画像ファイルに含まれるサムネイル画像を送信するか否かを選択する選択モジュールと、前記取り込まれた画像ファイルを送信するための特定送信モードを実行するように制御する制御モジュールとを有し、前記制御モジュールは、前記特定送信モードの実行時に、前記取り込まれた画像ファイルに含まれるサムネイル画像を送信するか否かの選択に応じて、該サムネイル画像の送信を制御することを特徴とする。
【００１５】
本発明は、上記目的を達成するため、カラー情報を送信することが可能なファクシミリ装置を制御するためのプログラムであって、撮像装置により撮影された、サムネイル画像を含む所定色空間でかつ所定符号化の画像ファイルを送信する画像ファイルとして取り込む取込モジュールと、前記取り込まれた画像ファイルを送信するための特定送信モードを実行するように制御する制御モジュールとを有し、前記制御モジュールは、前記特定送信モードの実行時に、前記送信する画像ファイルとして１つの画像ファイルが取り込まれたとき、該取り込まれた１つの画像ファイルに含まれる特定情報を削除することによってそのサムネイル画像を送信しないようにし、前記送信する画像ファイルとして複数の画像ファイルが取り込まれたとき、該取り込まれた複数の画像ファイルおよびそれぞれのサムネイル画像を送信するように制御することを特徴とする。
【発明の効果】
【００１６】
本発明によれば、撮像装置により撮影された、サムネイル画像を含む所定色空間でかつ所定符号化の画像ファイルを送信するための特定送信モードの実行時に、取り込まれた画像ファイルに含まれるサムネイル画像を送信するか否かの選択に応じて、該サムネイル画像の送信を制御するので、撮像装置により撮影された、サムネイル画像を含む所定色空間でかつ所定符号化の画像ファイルを送信する際に、そのサムネイル画像の送信の有無を任意に選択することができる。よって、送信機側のユーザが、サムネイル画像の送信が必要ないと判断したときに、サムネイル画像の送信を行わずに画像ファイルの送信を行うことができ、通信時間および通信コストを削減することが可能になる。
【００１７】
また、本発明によれば、１通信で複数の画像ファイルを送信する場合、複数の画像ファイルに含まれているサムネイル画像が送信されるので、受信機側において、受信した複数の画像ファイルの画像をそれぞれに含まれるサムネイル画像により確認することができ、出力すべき画像の選択を容易に行うことができる。また、１通信で１つの画像ファイルを送信する場合、受信機側において、受信した画像ファイルの出力の際にサムネイル画像を確認することは不要と考えられ、通信時間および通信コストを削減することが可能になる。
【発明を実施するための最良の形態】
【００１８】
以下、本発明の実施の形態について図面を参照しながら説明する。
【００１９】
（第１の実施の形態）
図１は本発明の第１の実施の形態に係るファクシミリ装置の構成を示すブロック図である。
【００２０】
ファクシミリ装置は、図１に示すように、電話回線２ａに接続されている網制御装置（以下、ＮＣＵという）２を備える。ＮＣＵ２は、電話網をデータ通信などに使用するための回線端末へ接続するなどの電話交換網の接続制御、データ通信路への切換えを行い、電話回線２ａと電話機４との接続（ＣＭＬオフ）、および電話回線２ａとハイブリッド回路６との接続（ＣＭＬオン）を選択的に切り換える。ＮＣＵ２と電話機４とは信号線２ｂで接続され、ＮＣＵ２とハイブリッド回路６とは信号線２ｃで接続されている。ＮＣＵ２の切換動作は、バス２６を介してＣＰＵ２２により制御される。
【００２１】
ハイブリッド回路６は、電話回線２ａを介して送信される送信系からの送信信号と、電話回線２ａを介して受信される受信系への受信信号とを分離する。
【００２２】
送信系は、ＣＣＤ（電荷結合素子）などの撮像素子と光学系から構成される読取回路１４と、発呼回路１０とを有する。読取回路１４は、送信する原稿をカラー読取可能であり、この読取回路１４により読み取られた画像データは、バス２６に出力される。このバス２６に出力された画像データは、必要に応じて、そのまま、または符号化された後にメモリ（ＲＡＭ）１８に格納される。発呼回路１０は、バス２６から電話番号情報を入力し、ＤＴＭＦの選択信号を信号線１０ａに出力する。
【００２３】
メモリ１８内の符号化されたデータ（読み取り画像データ）は、バス１６を介して変復調器８に出力される。変復調器８は、バス２６からの符号化されたデータに対し変調処理を施し、変調信号を生成するとともに、ハイブリッド回路６から信号線６ａを介して取り込まれた受信信号に対し復調処理を施し、復調データを生成する。この変調処理および復調処理は、ＩＴＵ−Ｔ勧告Ｖ．８，Ｖ．２１，Ｖ．２７ter，Ｖ．２９，Ｖ．１７，Ｖ．３４に基づいて行われる。変復調器８による伝送モードは、ＣＰＵ２２によって決定される。
【００２４】
変復調器８で生成された変調信号は、信号線８ａを介して加算回路１２に与えられる。加算回路１２は、変復調器８からの変調信号と発呼回路１０からの信号とを加算し、その加算された信号はハイブリッド回路６に信号線１２ａを介して出力される。ハイブリッド回路６は、上記加算された信号を送信信号としてＮＣＵ２経由で電話回線２ａに送出する。
【００２５】
これに対し、受信系では、相手装置からＮＣＵ２経由で受信した信号がハイブリッド回路６から信号線６ａを介して変復調器８に出力される。変復調器８は、上述したように、信号線６ａを介して取り込まれた受信号に対し復調処理を施し、復調データを生成する。変復調器８で生成された復調データは、バス２６を介してＣＰＵ２２に与えられる。ＣＰＵ２２は、復調データに対し復号化などの処理を施し、復号化されたデータはバス２６を介して記録回路１６に与えられる。また、復号化されたデータは、必要に応じて、メモリ１８に格納される。
【００２６】
記録回路１６は、カラー記録可能であり、バス２６に出力されたデータ（画像データ）を順次１ライン毎に記録紙に記録する。
【００２７】
メモリ１８は、上述したように、読取回路１４で読み取られたデータ、それの符号化されたデータ、受信したデータ、それの復号化されたデータを格納するとともに、ＣＰＵ２２の作業領域として使用される。
【００２８】
バス２６には、操作部２０およびカードインターフェース２８が接続されている。操作部２０には、ワンタッチダイヤル、短縮ダイヤル、テンキー、＊キー、＃キー、スタートキー、ストップキー、セットキー、カラー送信選択キー、コピー、ＦＡＸ、プリントのモードを選択するためのモード選択キー、カードＩ／Ｆ２８に装着されたＣＦカード３０に格納されている情報（デジタルスチルカメラで撮影された画像情報）の送信を選択するためのキー、その他のファンクションキーが設けられており、押下されたキー情報はバス２６に出力される。また、操作部２０には、表示部が設けられており、表示部には、設定されたモード内容、入力された情報などが表示される。
【００２９】
カードインターフェース２８は、カード、例えばデジタルカメラで撮影された画像情報が記憶されているコンパクトフラッシュ（登録商標）カード３０を装着するためのインターフェースであり、これに装着されたコンパクトフラッシュ（登録商標）カード３０から画像情報の読み出しまたは書き込みを行うことが可能である。
【００３０】
ＣＰＵ２２は、ＲＯＭ２４に格納されている制御プログラムに基づいてファクシミリ装置全体の制御を行うとともに、ファクシミリ伝送制御手順を実行する。
【００３１】
次に、本実施の形態のカラー画像通信に用いられる主要信号について図２を参照しながら説明する。図２は図１のファクシミリ装置のカラー画像通信に用いられる主要信号を示すテーブルである。
【００３２】
本実施の形態においては、ファクシミリ装置のカラー画像通信に用いられる主要信号として、新規にＩＴＵ−Ｔ勧告Ｔ．３０に追加された信号が用いられる。
【００３３】
具体的には、図２に示すように、ＤＩＳ／ＤＴＣ信号のＦＩＦの６８ビットにより、色空間ＬａｂでＪＰＥＧ符号化された情報に対する受信機能の有無が通知される。また、ＤＣＳ信号のＦＩＦの６８ビットにより、色空間ＬａｂでＪＰＥＧ符号化された情報の送信が指定される。
【００３４】
また、ＤＩＳ／ＤＴＣ信号のＦＩＦの６９ビットにより、色空間がＬａｂであるフルカラー受信機能の有無が通知され、ＤＣＳ信号のＦＩＦの６９ビットにより、色空間がＬａｂであるフルカラー送信が指定される。
【００３５】
また、ＤＩＳ／ＤＴＣ信号のＦＩＦのＸビットにより、色空間ｓＹＣＣでのＪＰＥＧ符号化された情報に対する受信機能の有無が通知され、ＤＣＳ信号のＦＩＦのＸビットにより、色空間ｓＹＣＣでのＪＰＥＧ符号化された情報の送信が指定される。
【００３６】
次に、本実施の形態におけるファクシミリ通信について図３〜図７を参照しながら説明する。図３〜図７は図１のファクシミリ装置のファクシミリ通信の手順を示すフローチャートである。ここで、図３〜図７のフローチャートに示す手順は、ＣＰＵ２２により実行される。
【００３７】
ＣＰＵ２２は、図３に示すように、まずステップＳ２において、バス２６を介して、メモリ１８をイニシャライズし、続くステップＳ４で、バス２６を介して、操作部２０の表示部をクリアする。そして、ＣＰＵ２２は、バス２６を介してＮＣＵ２のＣＭＬをオフする。
【００３８】
次いで、ＣＰＵ２２は、ステップＳ８において、操作部２０の入力に基づいて、ファクシミリ送信が選択されたか否かを判定し、ファクシミリ送信が選択されていない場合、ステップＳ１０において、その他の処理を実行する。そして、ＣＰＵ２２は、処理をステップＳ６に戻す。
【００３９】
これに対し、ファクシミリ送信が選択されている場合、ＣＰＵ２２は、ステップＳ１２において、バス２６を介してＮＣＵ２のＣＭＬをオンし、続くステップＳ１４において、発呼回路１０を用いて指定された宛先へ発呼する。そして、ＣＰＵ２２は、ステップＳ１６において、操作部２０から入力された情報に基づいてデジタルスチルカメラで撮影された情報の送信が選択されているか否かを判定する。ここで、デジタルスチルカメラで撮影された情報の送信が選択されていない場合、ＣＰＵ２２は、ステップＳ１８において、カラー送信が選択されているか否かを判定する。
【００４０】
上記ステップＳ１８においてカラー送信が選択されていると判定された場合、ＣＰＵ２２は、ＤＩＳ信号のＦＩＦの６８，６９ビットが１であるか否かを判定する。ＤＩＳ信号のＦＩＦの６８，６９ビットが１である場合、ＣＰＵ２２は、図４に示すステップＳ２６において、前手順を実行する。ここでは、ＤＣＳ信号のＦＩＦの６８，６９ビットが１にされる。そして、ＣＰＵ２２は、ステップＳ２８において、原稿情報をカラーで読み取り、その原稿情報を色空間ＬａｂでＪＰＥＧ符号化して送信する。ここでは、ＪＰＥＧのＡｐｐ１マーカが送信されないので、サムネイル画像は送信されない。次いで、ＣＰＵ２２は、ステップＳ３０において、後手順を実行し、処理を上記ステップＳ６に戻す。
【００４１】
上記ステップＳ１８においてカラー送信が選択されていないと判定された場合、または上記ステップＳ２０においてＤＩＳ信号のＦＩＦの６８，６９ビットが１でないと判定された場合、ＣＰＵ２２は、図５に示すステップＳ３２において、前手順を実行する。ここでは、ＤＣＳ信号のＦＩＦの６８，６９，Ｘビットが０にされる。そして、ＣＰＵ２２は、ステップＳ３４において、原稿情報を２値で読み取り、そのモノクロ原稿情報を送信する。次いで、ＣＰＵ２２は、ステップＳ３６において、後手順を実行し、処理を上記ステップＳ６に戻す。
【００４２】
上記ステップＳ１６においてデジタルスチルカメラで撮影された情報の送信が選択されていると判定された場合、ＣＰＵ２２は、ステップＳ２２において、ＤＩＳ信号のＦＩＦのＸビットが１であるか否かを判定する。ここで、ＤＩＳ信号のＦＩＦのＸビットが１である場合、前手順を実行する。ここでは、ＤＣＳ信号のＦＩＦのＸビットが１にされる。そして、ＣＰＵ２２は、図６に示すステップＳ３８において、サムネイル画像の送信が選択されているか否かを判定する。
【００４３】
上記ステップＳ３８においてサムネイル画像の送信が選択されていると判定された場合、ＣＰＵ２２は、ステップＳ４０において、カードインターフェース２８に装着されているコンパクトフラッシュ（登録商標）カード３０に格納されている情報（デジタルスチルカメラで撮影された色空間がｓＹＣＣのＪＰＥＧ符号化されたフルカラー情報）をそのまま送信する。ここでは、全ての送信ファイルに対して、Ａｐｐ１マーカが送信され、サムネイル画像も送信される。そして、ＣＰＵ２２は、ステップＳ４２において、後手順を実行し、処理を上記ステップＳ６に戻す。
【００４４】
上記ステップＳ３８においてサムネイル画像の送信が選択されていないと判定された場合、ＣＰＵ２２は、ステップＳ４４において、コンパクトフラッシュ（登録商標）カード３０に格納されている情報（デジタルスチルカメラで撮影された色空間がｓＹＣＣのＪＰＥＧ符号化されたフルカラー情報）を送信する。ここでは、全ての送信ファイルに対して、Ａｐｐ１マーカが削除されるので、サムネイル画像は送信されない。そして、ＣＰＵ２２は、ステップＳ４６において、後手順を実行し、処理を上記ステップＳ６に戻す。
【００４５】
上記ステップＳ２２においてＤＩＳ信号のＦＩＦのＸビットが１でないと判定された場合、ＣＰＵ２２は、図７に示すステップＳ４８において、「デジタルスチルカメラで撮影した情報の送信はできませんでした」と操作部２０の表示部に表示する。この表示は、その後の何らかのキー操作により消去される。そして、ＣＰＵ２２は、処理を上記ステップＳ６に戻す。
【００４６】
このように、本実施の形態によれば、デジタルスチルカメラにより撮影された、サムネイル画像を含む色空間ｓＹＣＣでかつＪＰＥＧ符号化の画像ファイルを送信する際に、取り込まれた画像ファイルに含まれるサムネイル画像を送信するか否かの選択に応じて、該サムネイル画像の送信を制御するので、色空間ｓＹＣＣでかつＪＰＥＧ符号化の画像ファイルに含まれるサムネイル画像の送信の有無を任意に選択することができる。よって、送信機側のユーザが、サムネイル画像の送信が必要ないと判断したときに、サムネイル画像の送信を行わずに画像ファイルの送信を行うことができ、通信時間および通信コストを削減することが可能になる。
【００４７】
（第２の実施の形態）
次に、本発明の第２の実施の形態について図８を参照しながら説明する。図８は本発明の第２の実施の形態に係るファクシミリ装置のファクシミリ通信の手順の一部を示すフローチャートである。本実施の形態は、上記第１の実施の形態と同じ構成を有し、その説明は省略する。
【００４８】
本実施の形態は、上記第１の実施の形態に対し、デジタルスチルカメラで撮影した情報の送信が選択されているとき、サムネイル画像の送信を実行するか否かを、送信する各ファイルに対して選択することができる点で異なる。よって、本実施の形態においては、上述した第１の実施の形態と異なる点のみを説明することにする。
【００４９】
具体的には、図８に示すように、図６に示すステップＳ４０またはステップＳ４４の後、ＣＰＵ２２は、ステップＳ５４において、他の送信ファイルがあるか否かを判定し、他の送信ファイルがあれば、ステップＳ５８において、中間手順を実行する。そして、ＣＰＵ２２は、処理を図６のステップＳ３８に戻す。これに対し、他の送信ファイルがなければ、ＣＰＵ２２は、処理を図６のステップＳ４２へ進める。
【００５０】
なお、ここでのステップＳ４０，ステップＳ４４においては、１ファイル単位での送信が行われるものとする。
【００５１】
このように、本実施の形態によれば、送信ファイル毎にそのサムネイル画像の送信の有無を選択することができる。
【００５２】
（第３の実施の形態）
次に、本発明の第３の実施の形態について図９を参照しながら説明する。図９は本発明の第３の実施の形態に係るファクシミリ装置のファクシミリ通信の手順の一部を示すフローチャートである。本実施の形態は、上記第１の実施の形態と同じ構成を有し、その説明は省略する。
【００５３】
本実施の形態は、上記第１の実施の形態に対し、デジタルスチルカメラで撮影した情報の送信が選択されているとき、サムネイル画像の送信を実行するか否かを、１通信で送信するファイルの数に応じて決定する点で異なる。すなわち、１通信で１ファイルのみを送信する場合、そのサムネイル画像の送信を行わないように決定され、１通信で複数のファイルを送信する場合、それぞれのサムネイル画像の送信を行うように決定される。よって、本実施の形態においては、上述した第１の実施の形態と異なる点のみを説明することにする。
【００５４】
具体的には、図９に示すように、図３のステップＳ２４の後、ＣＰＵ２２は、ステップＳ７２において、送信するファイル（デジタルスチルカメラで撮影された情報）が１ファイルのみであるか否かを判定する。ここで、送信するファイルが１ファイルのみであれば、ＣＰＵ２２は、処理をステップＳ４４へ進め、１ファイルのみの送信を行う。これに対し、送信するファイルが１ファイルのみでないすなわち複数のファイルであれば、ＣＰＵ２２は、処理をステップＳ４０へ進め、１通信で複数のファイルを送信する。
【００５５】
このように、本実施の形態によれば、１通信で複数のファイルを送信する場合、複数のファイルに含まれているサムネイル画像が送信されるので、受信機側において、受信した複数の画像ファイルの画像をそれぞれに含まれるサムネイル画像により確認することができ、出力すべき画像の選択を容易に行うことができる。また、１通信で１つのファイルを送信する場合、受信機側において、受信したファイルの出力の際にサムネイル画像を確認することは不要と考えられ、通信時間および通信コストを削減することが可能になる。
【００５６】
なお、本発明の目的は、前述した実施の形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００５７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【図面の簡単な説明】
【００５８】
【図１】本発明の第１の実施の形態に係るファクシミリ装置の構成を示すブロック図である。
【図２】図１のファクシミリ装置のカラー画像通信に用いられる主要信号を示すテーブルである。
【図３】図１のファクシミリ装置のファクシミリ通信の手順を示すフローチャートである。
【図４】図１のファクシミリ装置のファクシミリ通信の手順を示すフローチャートである。
【図５】図１のファクシミリ装置のファクシミリ通信の手順を示すフローチャートである。
【図６】図１のファクシミリ装置のファクシミリ通信の手順を示すフローチャートである。
【図７】図１のファクシミリ装置のファクシミリ通信の手順を示すフローチャートである。
【図８】本発明の第２の実施の形態に係るファクシミリ装置のファクシミリ通信の手順の一部を示すフローチャートである。
【図９】本発明の第３の実施の形態に係るファクシミリ装置のファクシミリ通信の手順の一部を示すフローチャートである。
【図１０】従来のカラーファクシミリ通信方式を用いたシステム構成を示すブロック図である。
【符号の説明】
【００５９】
２  ＮＣＵ
６  ハイブリッド回路
８  変復調器
１０  発呼回路
１２  加算回路
１４  読取回路
１６  記録回路
１８  メモリ（ＲＡＭ）
２０  操作部
２２  ＣＰＵ
２４  ＲＯＭ
２６  バス
２８  カードインターフェース
３０  コンパクトフラッシュ（登録商標）カード
【図１】
2005198176.tif 000003
【図２】
2005198176.tif 000004
【図３】
2005198176.tif 000005
【図４】
2005198176.tif 000006
【図５】
2005198176.tif 000007
【図６】
2005198176.tif 000008
【図７】
2005198176.tif 000009
【図８】
2005198176.tif 000010
【図９】
2005198176.tif 000011
【図１０】
2005198176.tif 000012